(57)【要約】【課題】現像ローラとともに回転可能なギヤが第１回転方向と反対の第２回転方向に回転するのを抑える。【解決手段】現像カートリッジ１０は、筐体１１と、現像ローラ１２と、第１はす歯ギヤ（カップリング２２）と、第２はす歯ギヤ（ギヤ２６）と、カバー２１と、係合部材５０とを備える。第２はす歯ギヤは、軸方向において、第１位置と、第１位置よりも筐体１１の外表面１１Ｃから離れた第２位置との間で移動可能であり、第１回転方向Ｄ１に回転する場合に第１はす歯ギヤとの噛み合いによる第１スラスト力によって第１位置に移動し、第２回転方向Ｄ２に回転する場合に第１はす歯ギヤとの噛み合いによる第２スラスト力によって第２位置に移動する。係合部材５０は、第２はす歯ギヤが第１位置の場合に第２はす歯ギヤが第１はす歯ギヤとともに回転可能であり、第２はす歯ギヤが第２位置の場合にカバー２１の一部に係合して第２はす歯ギヤの回転を停止させる。【選択図】図３
2019148749.tif 000002
【特許請求の範囲】
【請求項１】
現像剤を収容可能な筐体と、
軸方向に延びる第１軸について回転可能な現像ローラと、
前記軸方向に延びる第２軸について回転可能であり、前記筐体の外表面に位置する第１はす歯ギヤであって、前記現像ローラとともに回転可能な第１はす歯ギヤと、
前記軸方向に延びる第３軸について、第１回転方向と、前記第１回転方向と反対の第２回転方向とに回転可能であり、前記外表面に位置する第２はす歯ギヤであって、前記軸方向において、第１位置と、前記第１位置よりも前記外表面から離れた第２位置との間で移動可能であり、前記第１はす歯ギヤと噛み合う第２はす歯ギヤであり、前記第２はす歯ギヤが前記第１回転方向に回転する場合に前記第１はす歯ギヤと前記第２はす歯ギヤとの噛み合いによる第１スラスト力によって前記第１位置に移動し、前記第２はす歯ギヤが前記第２回転方向に回転する場合に前記第１はす歯ギヤと前記第２はす歯ギヤとの噛み合いによる第２スラスト力によって前記第２位置に移動する第２はす歯ギヤと、
少なくとも前記第２はす歯ギヤの一部を覆うカバーであって、前記外表面に位置するカバーと、
前記第２はす歯ギヤとともに前記第３軸について回転可能であり、前記第２はす歯ギヤとともに前記軸方向に移動可能な係合部材であって、前記第２はす歯ギヤが前記第１位置の場合に前記第２はす歯ギヤが前記第１はす歯ギヤとともに回転可能であり、前記第２はす歯ギヤが前記第２位置の場合に前記カバーの一部に係合して前記第２はす歯ギヤの回転を停止させる係合部材と、を備えることを特徴とする現像カートリッジ。
【請求項２】
前記第２はす歯ギヤが前記第１位置の場合、前記係合部材は、前記カバーの一部との係合が解除されていることを特徴とする請求項１に記載の現像カートリッジ。
【請求項３】
前記第２はす歯ギヤは、前記係合部材を含むことを特徴とする請求項１または請求項２に記載の現像カートリッジ。
【請求項４】
前記第２はす歯ギヤは、前記カバーの一部と向かい合う端面を有し、
前記係合部材は、前記端面に位置し、
前記カバーの一部は、
前記第２はす歯ギヤが前記第２回転方向に回転する場合に、前記係合部材と接触し、前記第２はす歯ギヤの回転を停止させる第１面と、
前記第２はす歯ギヤが前記第１回転方向に回転する場合に、前記係合部材と接触し、前記第２はす歯ギヤと前記係合部材とを前記第１位置に向けて移動させる第２面と、
を有することを特徴とする請求項１から請求項３のいずれか１項に記載の現像カートリッジ。
【請求項５】
前記カバーの一部は、前記第１面と前記第２面とを有する第１突起を備えることを特徴とする請求項４に記載の現像カートリッジ。
【請求項６】
前記カバーの一部は、複数の前記第１突起を備え、
前記複数の第１突起は、前記第２はす歯ギヤの回転方向に並んでいることを特徴とする請求項５に記載の現像カートリッジ。
【請求項７】
前記係合部材は、前記第１面に接触する第３面と、前記第２面に接触する第４面とを備えることを特徴とする請求項４から請求項６のいずれか１項に記載の現像カートリッジ。
【請求項８】
前記係合部材は、前記第３面と前記第４面とを有する第２突起を備えることを特徴とする請求項７に記載の現像カートリッジ。
【請求項９】
前記係合部材は、複数の前記第２突起を備え、
前記複数の第２突起は、前記第２はす歯ギヤの回転方向に並んでいることを特徴とする請求項８に記載の現像カートリッジ。
【請求項１０】
前記第２はす歯ギヤは、アイドルギヤであることを特徴とする請求項１から請求項９のいずれか１項に記載の現像カートリッジ。
【請求項１１】
前記軸方向に延びる第４軸について回転可能なアジテータと、
前記アジテータのシャフトに装着されたアジテータギヤであって、前記アイドルギヤと噛み合うアジテータギヤと、を備えることを特徴とする請求項１０に記載の現像カートリッジ。
【請求項１２】
前記第１はす歯ギヤは、前記現像ローラを回転させるためのカップリングであることを特徴とする請求項１０または請求項１１に記載の現像カートリッジ。
【請求項１３】
前記カップリングは、前記軸方向の一端に、駆動力を受ける凹部を有することを特徴とする請求項１２に記載の現像カートリッジ。
【請求項１４】
前記現像ローラのシャフトに装着された現像ギヤを備え、
前記カップリングは、前記現像ギヤと噛み合うことを特徴とする請求項１２または請求項１３に記載の現像カートリッジ。
【請求項１５】
前記現像カートリッジは、感光体ドラムと、前記現像ローラを前記感光体ドラムに押圧する押圧部材とを備えたドラムカートリッジに装着可能であり、
前記現像ローラは、前記現像カートリッジが前記ドラムカートリッジに装着された状態において前記感光体ドラムに押圧されることを特徴とする請求項１から請求項１４のいずれか１項に記載の現像カートリッジ。
【発明の詳細な説明】
【技術分野】
【０００１】
本開示は、現像ローラとともに回転可能なギヤを備える現像カートリッジに関する。
【背景技術】
【０００２】
従来、現像カートリッジとして、現像ローラと、現像ギヤ、供給ギヤ、アジテータギヤなどのような現像ローラとともに回転可能なギヤとを備えたものが知られている（特許文献１参照）。
【先行技術文献】
【特許文献】
【０００３】
【特許文献１】特開２０１５−１２９８０６号公報
【発明の概要】
【発明が解決しようとする課題】
【０００４】
現像カートリッジは、画像形成装置に装着されて、画像形成装置から駆動力を受けると、ギヤが第１回転方向に回転し、これとともに現像ローラが回転する。これにより、画像形成装置は、画像形成することができる。一方で、ギヤが、第１回転方向と反対の第２回転方向に回転すると、現像ローラが、画像形成装置が画像形成するときとは逆方向に回転してしまい、現像剤が漏れるおそれがあった。
【０００５】
そこで、本開示は、現像ローラとともに回転可能なギヤが第１回転方向と反対の第２回転方向に回転するのを抑えることを目的とする。
【課題を解決するための手段】
【０００６】
前記課題を解決するため、本発明に係る現像カートリッジは、現像剤を収容可能な筐体と、軸方向に延びる第１軸について回転可能な現像ローラと、第１はす歯ギヤと、第２はす歯ギヤと、カバーと、係合部材と、を備える。
第１はす歯ギヤは、軸方向に延びる第２軸について回転可能であり、筐体の外表面に位置する第１はす歯ギヤであって、現像ローラとともに回転可能である。
第２はす歯ギヤは、軸方向に延びる第３軸について、第１回転方向と、第１回転方向と反対の第２回転方向とに回転可能であり、外表面に位置する第２はす歯ギヤであって、軸方向において、第１位置と、第１位置よりも外表面から離れた第２位置との間で移動可能であり、第１はす歯ギヤと噛み合う。
第２はす歯ギヤは、第２はす歯ギヤが第１回転方向に回転する場合に第１はす歯ギヤと第２はす歯ギヤとの噛み合いによる第１スラスト力によって第１位置に移動し、第２はす歯ギヤが第２回転方向に回転する場合に第１はす歯ギヤと第２はす歯ギヤとの噛み合いによる第２スラスト力によって第２位置に移動する
カバーは、少なくとも第２はす歯ギヤの一部を覆うカバーであって、外表面に位置する。
係合部材は、第２はす歯ギヤとともに第３軸について回転可能であり、第２はす歯ギヤとともに軸方向に移動可能な係合部材である。
係合部材は、第２はす歯ギヤが第１位置の場合に第２はす歯ギヤが第１はす歯ギヤとともに回転可能であり、第２はす歯ギヤが第２位置の場合にカバーの一部に係合して第２はす歯ギヤの回転を停止させる。
【０００７】
この構成によれば、第２はす歯ギヤを第１回転方向に回転させる場合には、係合部材が第２はす歯ギヤとともに回転する。また、第２はす歯ギヤを第２回転方向に回転させる場合には、係合部材がカバーの一部と係合することで、第２はす歯ギヤの回転が停止する。これにより、現像ローラとともに回転可能な第２はす歯ギヤが第１回転方向と反対の第２回転方向に回転するのを抑えることができる。
【０００８】
また、第２はす歯ギヤが第１位置の場合、係合部材は、カバーの一部との係合が解除されている構成とすることができる。
【０００９】
これによれば、第２はす歯ギヤが第１位置の場合に、係合部材がカバーと接触しないので、第２はす歯ギヤを第１回転方向へ良好に回転させることができる。
【００１０】
また、第２はす歯ギヤは、係合部材を含む構成とすることができる。
【００１１】
また、第２はす歯ギヤは、カバーの一部と向かい合う端面を有し、係合部材は、端面に位置し、カバーの一部は、第２はす歯ギヤが第２回転方向に回転する場合に、係合部材と接触し、第２はす歯ギヤの回転を停止させる第１面と、第２はす歯ギヤが第１回転方向に回転する場合に、係合部材と接触し、第２はす歯ギヤと係合部材とを第１位置に向けて移動させる第２面と、を有する構成とすることができる。
【００１２】
これによれば、第１面によって第２はす歯ギヤの第２回転方向への回転を停止させることができるとともに、第２面によって第２はす歯ギヤと係合部材との第１位置への移動を補助することができる。
【００１３】
また、カバーの一部は、第１面と第２面とを有する第１突起を備える構成とすることができる。
【００１４】
また、カバーの一部は、複数の第１突起を備え、複数の第１突起は、第２はす歯ギヤの回転方向に並んでいる構成とすることができる。
【００１５】
また、係合部材は、第１面に接触する第３面と、第２面に接触する第４面とを備える構成とすることができる。
【００１６】
また、係合部材は、第３面と第４面とを有する第２突起を備える構成とすることができる。
【００１７】
また、係合部材は、複数の第２突起を備え、複数の第２突起は、第２はす歯ギヤの回転方向に並んでいる構成とすることができる。
【００１８】
なお、カバーの一部が複数の第１突起を備え、係合部材が複数の第２突起を備えることで、第２はす歯ギヤが第２回転方向に回転する場合に、複数の第３面が複数の第１面に接触する。これにより、第２はす歯ギヤの回転を良好に止めることができる。
【００１９】
また、第２はす歯ギヤは、アイドルギヤである構成とすることができる。
【００２０】
また、画像形成装置は、軸方向に延びる第４軸について回転可能なアジテータと、アジテータのシャフトに装着されたアジテータギヤであって、アイドルギヤと噛み合うアジテータギヤと、を備える構成とすることができる。
【００２１】
また、第１はす歯ギヤは、現像ローラを回転させるためのカップリングである構成とすることができる。
【００２２】
また、カップリングは、軸方向の一端に、駆動力を受ける凹部を有する構成とすることができる。
【００２３】
また、現像ローラのシャフトに装着された現像ギヤを備え、カップリングは、現像ギヤと噛み合う構成とすることができる。
【００２４】
また、現像カートリッジは、感光体ドラムと、現像ローラを感光体ドラムに押圧する押圧部材とを備えたドラムカートリッジに装着可能であり、現像ローラは、現像カートリッジがドラムカートリッジに装着された状態において感光体ドラムに押圧される構成とすることができる。
【００２５】
これによれば、押圧部材によって現像ローラが感光体ドラムに押圧された状態においても、第２はす歯ギヤを第１回転方向に回転させ、かつ、第２回転方向には回転させないようにすることができる。
【発明の効果】
【００２６】
本発明によれば、現像ローラとともに回転可能な第２はす歯ギヤが第１回転方向と反対の第２回転方向に回転するのを抑えることができる。
【図面の簡単な説明】
【００２７】
【図１】本開示の実施形態の現像カートリッジを備えるプリンタの構成を示す図である。
【図２】プロセスカートリッジの構成を示す断面図である。
【図３】現像カートリッジの第１方向の一方側の部品を分解して示す斜視図である。
【図４】アイドルギヤを第１方向の一方側から見た斜視図（ａ）と、第１方向の他方側から見た斜視図（ｂ）である。
【図５】第１ギヤカバーを内側から見た斜視図である。
【図６】アイドルギヤが第１位置の場合のギヤ列と第１ギヤカバーを第２方向の一方側から見た図である。
【図７】アイドルギヤが第２位置の場合のギヤ列と第１ギヤカバーを第２方向の一方側から見た図である。
【発明を実施するための形態】
【００２８】
次に、本開示の実施形態について、図面を参照しながら詳細に説明する。
【００２９】
図１に示すように、レーザプリンタ１は、本体筐体２と、給紙部３と、画像形成部４と、制御装置ＣＵを主に備える。レーザプリンタ１は、用紙Ｓに画像を形成する画像形成装置である。
【００３０】
本体筐体２は、フロントカバー２Ａと、本体筐体２の上部に位置する排紙トレイ２Ｂとを有している。本体筐体２は、内部に給紙部３、画像形成部４を備える。フロントカバー２Ａを開くことで、現像カートリッジ１０が着脱可能に装着される。
【００３１】
給紙部３は、用紙Ｓを収容している。そして、給紙部３は、画像形成部４に用紙Ｓを１枚ずつ供給する。
【００３２】
画像形成部４は、プロセスカートリッジ４Ａと、図示省略した露光装置と、転写ローラ４Ｂと、定着器４Ｃとを含む。
【００３３】
プロセスカートリッジ４Ａは、ドラムカートリッジ５と、現像カートリッジ１０とを含む。現像カートリッジ１０は、ドラムカートリッジ５に装着可能である。さらに言えば、現像カートリッジ１０は、ドラムカートリッジ５に対して着脱可能である。なお、現像カートリッジ１０は、現像カートリッジ１０がドラムカートリッジ５に装着された状態で、プロセスカートリッジ４Ａとして、レーザプリンタ１に着脱される。ドラムカートリッジ５は、フレーム５Ａと、フレーム５Ａに回転可能に支持された感光体ドラム５Ｂとを備える。
【００３４】
図２に示すように、現像カートリッジ１０は、筐体１１と、現像ローラ１２と、供給ローラ１３と、アジテータ１４とを備える。
【００３５】
筐体１１は、容器１１Ａと、蓋１１Ｂとを含む。筐体１１の容器１１Ａには内部にトナーＴを収容可能である。なお、トナーＴは、現像剤の一例である。
【００３６】
現像ローラ１２は、第１方向に延びる現像ローラシャフト１２Ａと、ローラ部１２Ｂとを含む。なお、第１方向は、現像ローラ１２の軸方向であり、以下、単に軸方向ともいう。現像ローラシャフト１２Ａは、現像ローラ１２のシャフトである。現像ローラシャフト１２Ａは、金属などからなる。ローラ部１２Ｂは、現像ローラシャフト１２Ａの外周面を覆う。ローラ部１２Ｂは、導電性のゴムなどからなる。
【００３７】
現像ローラ１２は、現像ローラシャフト１２Ａを中心に回転可能である。他の言い方をすれば、現像ローラ１２は、軸方向に延びる第１軸１２Ｘについて回転可能である。現像ローラ１２は、現像ローラシャフト１２Ａを中心に回転可能に筐体１１に支持されている。つまり、ローラ部１２Ｂは、現像ローラシャフト１２Ａとともに回転可能である。現像ローラ１２は、制御装置ＣＵから現像バイアスが印加される。
【００３８】
筐体１１の容器１１Ａと蓋１１Ｂとは、第２方向において互いに向かい合っている。第２方向は、第１方向に交差する方向である。好ましくは、第２方向は、第１方向と直交する。現像ローラ１２は、第３方向における筐体１１の一端部に位置する。第３方向は、第１方向および第２方向に交差する。好ましくは、第３方向は、第１方向および第２方向と直交する。
【００３９】
供給ローラ１３は、第１方向に延びる供給ローラシャフト１３Ａと、ローラ部１３Ｂとを含む。供給ローラシャフト１３Ａは、供給ローラ１３のシャフトである。供給ローラシャフト１３Ａは、金属などからなる。ローラ部１３Ｂは、供給ローラシャフト１３Ａの外周面を覆う。ローラ部１３Ｂは、スポンジなどからなる。供給ローラ１３は、供給ローラシャフト１３Ａを中心に回転可能である。他の言い方をすれば、供給ローラ１３は、軸方向に延びる軸１３Ｘについて回転可能である。ローラ部１３Ｂは、供給ローラシャフト１３Ａとともに回転可能である。
【００４０】
アジテータ１４は、アジテータシャフト１４Ａと、可撓性シート１４Ｂとを含む。アジテータシャフト１４Ａは、アジテータ１４のシャフトである。アジテータシャフト１４Ａは、軸方向に延びる軸１４Ｘについて回転可能である。軸１４Ｘは、第４軸の一例である。アジテータシャフト１４Ａは、軸１４Ｘについて回転可能に筐体１１に支持されている。アジテータ１４は、後述するカップリング２２とともに回転可能である。可撓性シート１４Ｂは、基端がアジテータシャフト１４Ａに固定され、先端が筐体１１の内面と接触可能に構成されている。アジテータ１４は、回転する可撓性シート１４ＢによりトナーＴを撹拌可能である。
【００４１】
ドラムカートリッジ５は、押圧部材５Ｃと、付勢部材５Ｄとを備える。押圧部材５Ｃは、現像ローラ１２を感光体ドラム５Ｂに押圧する。付勢部材５Ｄは、押圧部材５Ｃを感光体ドラム５Ｂに向けて付勢する。現像ローラ１２は、現像カートリッジ１０がドラムカートリッジ５に装着された状態において、押圧部材５Ｃによって感光体ドラム５Ｂに押圧される。
【００４２】
図１に示すように、転写ローラ４Ｂは、感光体ドラム５Ｂと向かい合う。転写ローラ４Ｂは、感光体ドラム５Ｂとの間で用紙Ｓを挟みながら搬送する。
【００４３】
感光体ドラム５Ｂは、図示しない帯電器により帯電され、露光装置に露光されることで静電潜像が形成される。現像カートリッジ１０は、この静電潜像にトナーＴを供給して感光体ドラム５Ｂ上にトナー像を形成する。給紙部３から供給された用紙Ｓは、感光体ドラム５Ｂと転写ローラ４Ｂの間を通りながら感光体ドラム５Ｂ上のトナー像が転写される。
【００４４】
定着器４Ｃは、用紙Ｓに転写されたトナー像を、用紙Ｓに熱定着する。トナー像が熱定着された用紙Ｓは、本体筐体２の外の排紙トレイ２Ｂに排出される。
【００４５】
制御装置ＣＵは、レーザプリンタ１全体の動作を制御する装置である。
【００４６】
レーザプリンタ１は、センサ７を備える。センサ７は、現像カートリッジ１０が新品であるか否か、または、現像カートリッジ１０の仕様を検知するためのセンサである。センサ７は、本体筐体２に揺動可能に支持されたレバー７Ａと、光センサ７Ｂとを備える。レバー７Ａは、検知ギヤ３３とともに回転可能な検知突起３３Ａなどと接触可能な位置に位置している。光センサ７Ｂは、制御装置ＣＵと接続され、検出信号を制御装置ＣＵに出力する。制御装置ＣＵは、光センサ７Ｂから受ける信号に応じて現像カートリッジ１０の仕様等を判別可能に構成されている。光センサ７Ｂは、レバー７Ａの変位を検出し、検出信号を制御装置ＣＵへ送信する。より詳細には、光センサ７Ｂには、例えば、投光部と受光部とを含むセンサユニットが用いられる。
【００４７】
次に、現像カートリッジ１０の詳細構成について説明する。
図３に示すように、現像カートリッジ１０は、筐体１１の第１方向における一方側に、カバーの一例としての第１ギヤカバー２１と、カップリング２２と、現像ギヤ２３と、供給ギヤ２４と、アジテータギヤの一例としての第１アジテータギヤ２５と、アイドルギヤ２６と、第１軸受部材２７と、キャップ２８とを備えている。
【００４８】
第１ギヤカバー２１は、アイドルギヤ２６をシャフト２１Ｂ（図５参照）により支持するとともに、筐体１１の一方側に位置する少なくとも１つのギヤを覆うカバーである。具体的に、第１ギヤカバー２１は、カップリング２２の一部と、供給ギヤ２４と、第１アジテータギヤ２５と、アイドルギヤ２６を覆う。第１ギヤカバー２１は、スクリュー２９により筐体１１の外表面１１Ｃに固定される。つまり、第１ギヤカバー２１は、外表面１１Ｃに位置する。外表面１１Ｃは、筐体１１の第１方向における一方側の外表面である。
【００４９】
カップリング２２は、現像ローラ１２などを回転させるための部材である。カップリング２２は、現像ローラ１２などとともに回転可能である。カップリング２２は、軸方向に延びる軸２２Ｘについて回転可能である。軸２２Ｘは、第２軸の一例である。カップリング２２は、第１方向における筐体１１の一方側に位置する。つまり、カップリング２２は、外表面１１Ｃに位置する。カップリング２２は、駆動力を受けることにより回転可能である。
【００５０】
詳細には、カップリング２２は、レーザプリンタ１から駆動力を受けることができる。カップリング２２は、図示しないレーザプリンタ１が含む駆動部材と係合することで回転可能である。カップリング２２は、軸方向の一端に、第１方向に凹む第１凹部２２Ａを有する。第１凹部２２Ａは、凹部の一例である。第１凹部２２Ａは、駆動部材を受け、駆動部材と係合可能である。より詳細には、第１凹部２２Ａは、レーザプリンタ１の駆動部材と係合し駆動力を受けることができる。
【００５１】
カップリング２２は、現像ギヤ２３と噛み合う第１ギヤ２２Ｂと、供給ギヤ２４と噛み合う第２ギヤ２２Ｃとを有する。第１ギヤ２２Ｂの径は、第２ギヤ２２Ｃの径とは異なっている。詳しくは、第１ギヤ２２Ｂの径は、第２ギヤ２２Ｃの径よりも大きい。
【００５２】
現像ギヤ２３は、現像ローラシャフト１２Ａに装着されている。現像ギヤ２３は、第１軸１２Ｘについて、現像ローラ１２とともに回転可能である。現像ギヤ２３は、第１方向における筐体１１の一方側に位置する。つまり、現像ギヤ２３は、外表面１１Ｃに位置する。現像ギヤ２３は、カップリング２２の第１ギヤ２２Ｂと噛み合うギヤ部２３Ａを有する。
【００５３】
供給ギヤ２４は、供給ローラシャフト１３Ａに装着されている。供給ギヤ２４は、軸方向に延びる軸１３Ｘについて、供給ローラ１３とともに回転可能である。供給ギヤ２４は、第１方向における筐体１１の一方側に位置する。つまり、供給ギヤ２４は、外表面１１Ｃに位置する。供給ギヤ２４は、カップリング２２の第２ギヤ２２Ｃと噛み合うギヤ部２４Ａを有する。
【００５４】
第１アジテータギヤ２５は、アジテータシャフト１４Ａに装着されている。第１アジテータギヤ２５は、軸方向に延びる軸１４Ｘについて回転可能である。第１アジテータギヤ２５は、カップリング２２の回転に従ってアジテータ１４とともに回転可能である。第１アジテータギヤ２５は、第１方向における筐体１１の一方側に位置する。つまり、第１アジテータギヤ２５は、外表面１１Ｃに位置する。第１アジテータギヤ２５は、アイドルギヤ２６と噛み合うギヤ部２５Ａを有する。
【００５５】
アイドルギヤ２６は、第１方向における筐体１１の一方側に位置する。つまり、アイドルギヤ２６は、外表面１１Ｃに位置する。アイドルギヤ２６は、カップリング２２および第１アジテータギヤ２５と噛み合う。詳しくは、アイドルギヤ２６は、カップリング２２の第１ギヤ２２Ｂと係合する大径部２６Ａと、第１アジテータギヤ２５のギヤ部２５Ａと係合する小径部２６Ｂ（図４参照）とを含む。アイドルギヤ２６は、第１ギヤカバー２１のシャフト２１Ｂ（図５参照）によって回転可能に支持されている。アイドルギヤ２６は、軸方向に延びる軸２６Ｘについて回転可能である。軸２６Ｘは、第３軸の一例である。アイドルギヤ２６は、カップリング２２の回転を減速して第１アジテータギヤ２５に伝達する。なお、第１方向において、大径部２６Ａは、小径部２６Ｂよりも筐体１１から離れている。
【００５６】
アイドルギヤ２６は、カップリング２２から駆動力を受けることにより第１回転方向Ｄ１に回転可能である。また、アイドルギヤ２６は、第１回転方向Ｄ１と反対の第２回転方向Ｄ２に回転可能である。つまり、アイドルギヤ２６は、筐体１１および第１ギヤカバー２１に対して、第１回転方向Ｄ１と、第２回転方向Ｄ２とに回転可能に支持されている。
【００５７】
キャップ２８は、現像ローラシャフト１２Ａの第１方向における一方側の端部を覆っている。なお、第１ギヤカバー２１と、キャップ２８とは、異なる種類の樹脂により作られてもよい。
【００５８】
第１軸受部材２７は、現像ローラシャフト１２Ａ、供給ローラシャフト１３Ａおよびカップリング２２を軸支する部材である。第１軸受部材２７は、筐体１１の第１方向における一方側に固定されている。第１軸受部材２７は、ベース部２７Ａと、シャフト２７Ｂとを有している。シャフト２７Ｂは、ベース部２７Ａから第１方向の一方側に突出する。
【００５９】
ベース部２７Ａは、第１挿入穴Ｈ１と、第２挿入穴Ｈ２とを有している。現像ローラ１２の回転軸である現像ローラシャフト１２Ａは、第１挿入穴Ｈ１に挿入される。供給ローラシャフト１３Ａは、第２挿入穴Ｈ２に挿入される。
【００６０】
シャフト２７Ｂは、円筒形状である。シャフト２７Ｂは、カップリング２２を回転可能に支持している。詳しくは、シャフト２７Ｂの外周面は、カップリング２２を回転可能に支持している。なお、シャフト２７Ｂの第１方向における他方側は、ベース部２７Ａによって閉じられている。
【００６１】
図１に示すように、現像カートリッジ１０は、筐体１１の第１方向における他方側に、第２ギヤカバー３１と、第２アジテータギヤ３２と、検知ギヤ３３と、第２軸受部材３４と、現像電極３５と、供給電極３６とを備える。
【００６２】
第２ギヤカバー３１は、検知ギヤ３３の少なくとも一部を覆うカバーである。第２ギヤカバー３１は、筐体１１の外表面１１Ｅに位置する。外表面１１Ｅは、筐体１１の第１方向における他方側の外表面である。第２ギヤカバー３１は、開口３１Ａを有する。開口３１Ａにより、検知ギヤ３３の一部が露出される。
【００６３】
第２アジテータギヤ３２は、第１方向における筐体１１の他方側に位置する。つまり、第２アジテータギヤ３２は、外表面１１Ｅに位置する。第２アジテータギヤ３２は、アジテータシャフト１４Ａ（図２参照）に装着されている。これにより、第２アジテータギヤ３２は、アジテータ１４のアジテータシャフト１４Ａとともに、軸方向に延びる軸１４Ｘについて回転可能である。
【００６４】
検知ギヤ３３は、第１方向における筐体１１の他方側に位置する。検知ギヤ３３は、第２アジテータギヤ３２と係合したときに第２アジテータギヤ３２とともに回転可能である。検知ギヤ３３は、センサ７のレバー７Ａと当接可能な検知突起３３Ａを複数有している。なお、検知突起３３Ａの数や位置を、現像カートリッジ１０の仕様に応じて変更することで、様々な仕様の現像カートリッジ１０を制御装置ＣＵで判別することが可能となっている。
【００６５】
第２軸受部材３４は、現像ローラシャフト１２Ａおよび供給ローラシャフト１３Ａを回転可能に支持する。第２軸受部材３４は、現像ローラシャフト１２Ａおよび供給ローラシャフト１３Ａを支持した状態で、外表面１１Ｅに固定されている。
【００６６】
現像電極３５は、第１方向における筐体１１の他方側に位置し、現像ローラシャフト１２Ａに電力を供給する。現像電極３５は、例えば、導電性樹脂からなる。
【００６７】
供給電極３６は、第１方向における筐体１１の他方側に位置し、供給ローラシャフト１３Ａに電力を供給する。供給電極３６は、例えば、導電性樹脂からなる。
【００６８】
現像電極３５および供給電極３６は、第２軸受部材３４とともに、筐体１１の外表面１１Ｅにスクリュー３８により固定されている。
【００６９】
図３に示すように、本実施形態において、カップリング２２は、第１はす歯ギヤの一例である。また、アイドルギヤ２６は、第２はす歯ギヤの一例である。具体的に、カップリング２２の第１ギヤ２２Ｂは、各ギヤ歯が第１方向およびカップリング２２の回転方向に対して傾斜するはす歯ギヤとなっている。また、アイドルギヤ２６の大径部２６Ａは、各ギヤ歯が第１方向およびアイドルギヤ２６の回転方向に対して傾斜するはす歯ギヤとなっている。
【００７０】
図４（ａ），（ｂ）に示すように、アイドルギヤ２６は、大径部２６Ａと、小径部２６Ｂと、円板部２６Ｃと、軸部２６Ｄと、係合部材５０とを備えている。
【００７１】
円板部２６Ｃは、軸２６Ｘを中心とした円板状である。円板部２６Ｃは、第１ギヤカバー２１の一部と第１方向において向かい合う端面２６Ｅを有している。端面２６Ｅは、円板部２６Ｃの第１方向における一方側の面である。
【００７２】
軸部２６Ｄは、円板部２６Ｃの中心から第１方向における他方側に向けて延びている。軸部２６Ｄは、軸２６Ｘを中心とした円筒形状である。アイドルギヤ２６の軸部２６Ｄは、第１ギヤカバー２１のシャフト２１Ｂ（図５参照）に対して軸方向に移動可能に支持されている。
【００７３】
アイドルギヤ２６は、軸方向において、図６に示す第１位置と、図７に示す第２位置との間で移動可能である。図６に示す第１位置は、アイドルギヤ２６が第２位置よりも第１方向において外表面１１Ｃに近い位置である。また、第１位置は、係合部材５０と第１ギヤカバー２１の一部（後述する第１突起４１）との係合が解除された位置である。つまり、第１位置は、係合部材５０と第１ギヤカバー２１の一部が係合しない位置である。
【００７４】
図７に示す第２位置は、アイドルギヤ２６が第１位置よりも第１方向において外表面１１Ｃから離れた位置である。また、第２位置は、係合部材５０が第１ギヤカバー２１の一部（第１突起４１）に係合する位置である。さらに言えば、第２位置は、係合部材５０が第１ギヤカバー２１の一部（第１突起４１の後述する第１面４１Ａ）と第２回転方向Ｄ２で係合する位置である。
【００７５】
アイドルギヤ２６の大径部２６Ａとカップリング２２の第１ギヤ２２Ｂは、アイドルギヤ２６の回転時にスラスト力を発生する。詳しくは、大径部２６Ａと第１ギヤ２２Ｂは、アイドルギヤ２６が第１回転方向Ｄ１に回転する場合に、アイドルギヤ２６を第１方向における他方側に向けて移動させる第１スラスト力Ｆ１を発生する。言い換えると、大径部２６Ａと第１ギヤ２２Ｂは、アイドルギヤ２６が第１回転方向Ｄ１に回転する場合に、アイドルギヤ２６を第１方向において外表面１１Ｃに向けて移動させる第１スラスト力Ｆ１を発生する。これにより、アイドルギヤ２６は、アイドルギヤ２６が第１回転方向Ｄ１に回転する場合に、カップリング２２とアイドルギヤ２６との噛み合いによる第１スラスト力Ｆ１によって第１位置に移動する。
【００７６】
また、大径部２６Ａと第１ギヤ２２Ｂは、アイドルギヤ２６が第２回転方向Ｄ２に回転する場合に、アイドルギヤ２６を第１方向における一方側に向けて移動させる第２スラスト力Ｆ２を発生する。言い換えると、大径部２６Ａと第１ギヤ２２Ｂは、アイドルギヤ２６が第２回転方向Ｄ２に回転する場合に、アイドルギヤ２６を第１方向において第１ギヤカバー２１に向けて移動させる第２スラスト力Ｆ２を発生する。これにより、アイドルギヤ２６は、アイドルギヤ２６が第２回転方向Ｄ２に回転する場合に、カップリング２２とアイドルギヤ２６との噛み合いによる第２スラスト力Ｆ２によって第２位置に移動する。
【００７７】
なお、カップリング２２は、第１ギヤカバー２１または第１軸受部材２７に接触することによって、筐体１１に対して軸方向に移動しない。ここで、本開示において、「筐体１１に対して軸方向に移動しない」とは、全く動かない場合と、ガタツキによって若干動く場合の両方を含む。
【００７８】
図４（ａ）に示す係合部材５０は、アイドルギヤ２６の第１回転方向Ｄ１への回転を許容する機能を有している。また、係合部材５０は、第２回転方向Ｄ２へのアイドルギヤ２６の回転を止める機能を有している。
【００７９】
係合部材５０は、アイドルギヤ２６とともに軸２６Ｘについて回転可能である。詳しくは、係合部材５０は、アイドルギヤ２６とともに、第１回転方向Ｄ１と、第２回転方向Ｄ２とに回転可能である。
【００８０】
また、係合部材５０は、アイドルギヤ２６とともに軸方向に移動可能である。詳しくは、係合部材５０は、アイドルギヤ２６とともに、図６に示す第１位置と、図７に示す第２位置との間で軸方向に移動可能である。アイドルギヤ２６が第１位置の場合、係合部材５０は、第１ギヤカバー２１の一部（第１突起４１）との係合が解除されている。また、アイドルギヤ２６が第２位置の場合、係合部材５０は、第１ギヤカバー２１の一部に係合している。
【００８１】
アイドルギヤ２６が第１位置の場合に、係合部材５０がアイドルギヤ２６とともに第１位置に位置することで、アイドルギヤ２６は、カップリング２２や現像ギヤ２３などとともに回転可能である。また、係合部材５０は、アイドルギヤ２６が第２位置の場合に、係合部材５０がアイドルギヤ２６とともに第２位置に位置することで、第１ギヤカバー２１の一部に係合する。これにより、係合部材５０は、第１ギヤカバー２１の一部によって回転が止められ、アイドルギヤ２６のそれ以上の回転を停止させる。
【００８２】
なお、図３に示すように、本実施形態では、カップリング２２の第２ギヤ２２Ｃ、現像ギヤ２３のギヤ部２３Ａ、および、供給ギヤ２４のギヤ部２４Ａも、各ギヤ歯が第１方向およびギヤの回転方向に対して傾斜するはす歯ギヤとなっている。本実施形態において、現像ギヤ２３と供給ギヤ２４は、カップリング２２と同様に、筐体１１に対して軸方向に移動しない。
【００８３】
具体的には、現像ギヤ２３および供給ギヤ２４は、例えば、第１ギヤカバー２１または第１軸受部材２７に接触することによって、筐体１１に対して軸方向に移動しない。また、現像ギヤ２３および供給ギヤ２４は、現像ローラシャフト１２Ａ、供給ローラシャフト１３Ａに固定されることによって、筐体１１に対して軸方向に移動しない構成でもよい。
【００８４】
図５に示すように、第１ギヤカバー２１は、側壁部２１Ａと、シャフト２１Ｂと、開口２１Ｃとを有している。
【００８５】
側壁部２１Ａは、アイドルギヤ２６と第１方向において向かい合う対向面２１Ｄを有している。対向面２１Ｄは、側壁部２１Ａの第１方向における他方側の面の一部である。対向面２１Ｄは、軸２６Ｘを中心とした円形状である。
【００８６】
シャフト２１Ｂは、側壁部２１Ａの対向面２１Ｄから第１方向の他方側に突出する。シャフト２１Ｂは、軸２６Ｘを中心とした円筒形状である。シャフト２１Ｂは、アイドルギヤ２６を回転可能に支持している。詳しくは、シャフト２１Ｂの外周面は、アイドルギヤ２６を回転可能に支持している。
【００８７】
開口２１Ｃは、カップリング２２の一部を露出させる。具体的には、第１凹部２２Ａを露出させる。これにより、カップリング２２は、レーザプリンタ１の駆動部材と係合可能となっている。
【００８８】
第１ギヤカバー２１は、複数の第１突起４１を備える。具体的に、第１ギヤカバー２１は、６つの第１突起４１を備える。各第１突起４１は、軸２６Ｘを中心とした円弧形状を有する。各第１突起４１は、側壁部２１Ａの対向面２１Ｄから軸方向における他方側に向けて突出している。複数の第１突起４１は、シャフト２１Ｂの周りに位置する。複数の第１突起４１は、アイドルギヤ２６の回転方向に並んでいる。複数の第１突起４１は、環状に並んでいる。各第１突起４１は、第１方向に沿った第１面４１Ａと、第１方向に対して傾斜する第２面４１Ｂとを有している。
【００８９】
第１面４１Ａは、アイドルギヤ２６の第２回転方向Ｄ２への回転を停止するための面である。第１面４１Ａは、アイドルギヤ２６の回転方向に対して交差している。好ましくは、第１面４１Ａは、アイドルギヤ２６の回転方向に対して直交している。第１面４１Ａは、アイドルギヤ２６が第２回転方向Ｄ２に回転する場合に、第２回転方向Ｄ２において係合部材５０と向かい合って接触する。これにより、第１面４１Ａは、アイドルギヤ２６の回転を停止させる。
【００９０】
第２面４１Ｂは、アイドルギヤ２６が第１回転方向Ｄ１に回転する場合に、アイドルギヤ２６と係合部材５０とを第２位置から第１位置に向けて移動させるための面である。第２面４１Ｂは、アイドルギヤ２６の回転方向に対して傾斜している。詳しくは、第２面４１Ｂは、第１回転方向Ｄ１の上流側から下流側にいくにつれて第１方向における他方側に位置するように傾斜している。さらに言えば、第２面４１Ｂは、第１回転方向Ｄ１の上流側から下流側にいくにつれて対向面２１Ｄから離れるように傾斜している。第２面４１Ｂは、アイドルギヤ２６が第１回転方向Ｄ１に回転する場合に、第１回転方向Ｄ１において係合部材５０と向かい合って接触する。これにより、アイドルギヤ２６は、係合部材５０が第２面４１Ｂ上を第１方向における一方側に移動することで第１位置に向けて移動する。
【００９１】
図４（ａ）に示すように、係合部材５０は、アイドルギヤ２６の円板部２６Ｃの端面２６Ｅに位置している。係合部材５０は、複数の第２突起５１を備える。具体的に、係合部材５０は、６つの第２突起５１を備える。各第２突起５１は、軸２６Ｘを中心とした円弧形状を有する。各第２突起５１は、円板部２６Ｃの端面２６Ｅから第１方向における一方側に向けて突出している。複数の第２突起５１は、軸２６Ｘの周りに位置する。複数の第２突起５１は、アイドルギヤ２６の回転方向に並んでいる。複数の第２突起５１は、環状に並んでいる。
【００９２】
第２突起５１は、アイドルギヤ２６の一部として、円板部２６Ｃに一体に形成されている。つまり、アイドルギヤ２６は、複数の第２突起５１を含む。さらに言えば、アイドルギヤ２６は、係合部材５０を含む。
【００９３】
各第２突起５１は、第１方向に沿った第３面５１Ａと、第１方向に対して傾斜する第４面５１Ｂとを有している。
【００９４】
第３面５１Ａは、アイドルギヤ２６の第２回転方向Ｄ２への回転を停止するための面である。第３面５１Ａは、アイドルギヤ２６の回転方向に対して交差している。好ましくは、第３面５１Ａは、アイドルギヤ２６の回転方向に対して直交している。第３面５１Ａは、第１突起４１の第１面４１Ａに接触する。詳しくは、第３面５１Ａは、第１面４１Ａに面接触する。
【００９５】
第４面５１Ｂは、アイドルギヤ２６が第１回転方向Ｄ１に回転する場合に、アイドルギヤ２６を第１位置から第２位置に向けて移動させるための面である。第４面５１Ｂは、アイドルギヤ２６の回転方向に対して傾斜している。詳しくは、第４面５１Ｂは、第１回転方向Ｄ１の上流側から下流側にいくにつれて第１方向における他方側に位置するように傾斜している。さらに言えば、第４面５１Ｂは、第１回転方向Ｄ１の上流側から下流側にいくにつれて端面２６Ｅに近づくように傾斜している。第４面５１Ｂは、第１突起４１の第２面４１Ｂに接触する。詳しくは、第４面５１Ｂは、第２面４１Ｂに面接触する。
【００９６】
なお、第２突起５１の第１方向の長さと、第１ギヤカバー２１の第１突起４１の第１方向の長さは、略同じである。
【００９７】
また、アイドルギヤ２６の第２位置から第１位置までの移動距離は、第１突起４１および第２突起５１の第１方向の長さよりも大きくなっている。これにより、アイドルギヤ２６が第１位置の場合には、各第２突起５１と第１ギヤカバー２１の各第１突起４１との係合を確実に解除することができる。また、アイドルギヤ２６が第１位置の場合に、各第２突起５１を各第１突起４１から第１方向に離すことができる。これにより、アイドルギヤ２６を係合部材５０とともに第１回転方向Ｄ１に回転させる場合に、各第２突起５１と各第１突起４１とが干渉するのを抑えることができる。
【００９８】
次に、現像カートリッジ１０の作用について説明する。なお、以下の説明では、ドラムカートリッジ５に現像カートリッジ１０が装着された状態での作用について説明する。つまり、押圧部材５Ｃによって現像ローラ１２が感光体ドラム５Ｂに押圧された状態においてアイドルギヤ２６が第１回転方向Ｄ１または第２回転方向Ｄ２に回転する場合の作用について説明する。
【００９９】
図６に示すように、アイドルギヤ２６が第１位置に位置するとき、係合部材５０の第２突起５１は、軸方向において第１ギヤカバー２１の対向面２１Ｄから離れている。そのため、第２突起５１は、第１ギヤカバー２１の第１突起４１に係合していない。
【０１００】
このような状態において、印刷時などにカップリング２２がレーザプリンタ１から駆動力を受けて回転すると、アイドルギヤ２６は、第１回転方向Ｄ１に回転することができる。また、このとき、カップリング２２とともに、現像ギヤ２３、供給ギヤ２４および第１アジテータギヤ２５が回転する。これにより、図２に矢印で示すように、現像ローラ１２、供給ローラ１３およびアジテータ１４がそれぞれの所定方向に回転する。
【０１０１】
ここで、レーザプリンタ１のような画像形成装置として、用紙の両面に画像を形成することができるものが知られている。そして、このような両面印刷が可能な画像形成装置として、用紙の両面印刷を行う場合に、画像形成部で用紙の表面に画像を形成し、その後、用紙の表裏を反転させて画像形成部の用紙の搬送方向における上流側に戻した後に用紙の裏面に画像を形成するものが知られている。
【０１０２】
このような画像形成装置では、用紙への画像形成時には、感光体ドラムを所定方向に回転させ、用紙の表裏を反転させる際には、感光体ドラムを所定方向とは逆方向に回転させる場合がある。このような場合、逆回転する感光体ドラムに追従するように現像ローラが逆回転する場合がある。このような場合であっても、本実施形態に係る構造では、現像ローラ１２の逆回転を止めることができる。
【０１０３】
詳しくは、図６に示すアイドルギヤ２６が第１位置に位置する状態から、感光体ドラム５Ｂの逆回転などによって現像ローラ１２が逆回転すると、現像ギヤ２３およびカップリング２２を介して、アイドルギヤ２６が第２回転方向Ｄ２に回転する。そうすると、図７に示すように、カップリング２２とアイドルギヤ２６との噛み合いによる第２スラスト力Ｆ２によって、アイドルギヤ２６が、第１位置よりも第１ギヤカバー２１の対向面２１Ｄに近い第２位置に向けて移動する。
【０１０４】
アイドルギヤ２６が第２位置に移動すると、係合部材５０の第２突起５１が第１ギヤカバー２１の第１突起４１に係合する。また、このとき、アイドルギヤ２６が第２回転方向Ｄ２に回転することで、係合部材５０がアイドルギヤ２６とともに第２回転方向Ｄ２に回転する。そのため、係合部材５０の第２突起５１の第３面５１Ａが第１突起４１の第１面４１Ａに接触する。これにより、係合部材５０の第２回転方向Ｄ２への回転が止められる。そして、これにより、係合部材５０と一体のアイドルギヤ２６の第２回転方向Ｄ２への回転が止められる。
【０１０５】
アイドルギヤ２６の回転が止められると、カップリング２２、現像ギヤ２３、供給ギヤ２４および第１アジテータギヤ２５の回転も止められる。これにより、現像ローラ１２、供給ローラ１３およびアジテータ１４の回転が止められ、これらの逆回転を止めることができる。
【０１０６】
アイドルギヤ２６が第２位置に位置する状態から、カップリング２２がレーザプリンタ１からの駆動力を受けて回転すると、アイドルギヤ２６が第１回転方向Ｄ１に回転する。そうすると、カップリング２２とアイドルギヤ２６との噛み合いによる第１スラスト力Ｆ１によって、アイドルギヤ２６が第２位置から第１位置に向けて移動する。
【０１０７】
また、このとき、アイドルギヤ２６が第１回転方向Ｄ１に回転することで、係合部材５０がアイドルギヤ２６とともに第１回転方向Ｄ１に回転する。そのため、係合部材５０の第２突起５１の第４面５１Ｂが第１突起４１の第２面４１Ｂに接触する。そして、係合部材５０がアイドルギヤ２６とともに第１回転方向Ｄ１にさらに回転すると、第４面５１Ｂが第２面４１Ｂ上を移動する。これにより、係合部材５０がアイドルギヤ２６とともに、第１位置に向けて移動する。第２面４１Ｂおよび第４面５１Ｂは、係合部材５０およびアイドルギヤ２６の第２位置から第１位置への移動を補助する。
【０１０８】
図６に示すように、アイドルギヤ２６が第１位置に移動すると、アイドルギヤ２６は、筐体１１に接触することによって、それ以上の第１方向における他方側への移動が止められる。そして、アイドルギヤ２６が第１位置に移動すると、係合部材５０の第２突起５１と第１ギヤカバー２１の第１突起４１との係合が解除される。これにより、その後は、アイドルギヤ２６は、第１回転方向Ｄ１に回転し続けることができる。
【０１０９】
なお、上述したような作用は、現像カートリッジ１０がドラムカートリッジ５から外された状態でも同様に発揮される。
【０１１０】
以上によれば、本実施形態において以下のような効果を得ることができる。
アイドルギヤ２６を第１回転方向Ｄ１に回転させる場合には、係合部材５０がアイドルギヤ２６とともに回転する。また、アイドルギヤ２６を第２回転方向Ｄ２に回転させる場合には、アイドルギヤ２６が第２回転方向Ｄ２に少し回転した後、係合部材５０が第１突起４１の第１面４１Ａと係合することで、アイドルギヤ２６の回転が停止する。これにより、アイドルギヤ２６が第１回転方向Ｄ１とは逆方向の第２回転方向Ｄ２に回転するのを抑えることができる。そして、これにより、現像ローラ１２の逆回転によって筐体１１内からトナーＴが漏れるのを抑えることができる。
【０１１１】
また、アイドルギヤ２６が第１位置の場合に、係合部材５０の第２突起５１と第１ギヤカバー２１の第１突起４１との係合が解除されていることで、係合部材５０が第１ギヤカバー２１と接触しない。これにより、アイドルギヤ２６が第１位置の場合に、アイドルギヤ２６を第１回転方向Ｄ１へ良好に回転させることができる。
【０１１２】
また、アイドルギヤ２６の回転方向に対して直交する第１面４１Ａと第３面５１Ａとによって、アイドルギヤ２６の第２回転方向Ｄ２への回転を停止させることができる。また、アイドルギヤ２６の回転方向に対して傾斜する第２面４１Ｂと第４面５１Ｂとによって、アイドルギヤ２６と係合部材５０との第２位置から第１位置への移動を補助することができる。
【０１１３】
また、第１ギヤカバー２１が複数の第１突起４１を備え、係合部材５０が複数の第２突起５１を備えるので、アイドルギヤ２６が第２回転方向Ｄ２に回転する場合に、複数の第３面５１Ａが複数の第１面４１Ａに接触する。これにより、アイドルギヤ２６の回転を良好に止めることができる。
【０１１４】
また、ドラムカートリッジ５の押圧部材５Ｃによって現像ローラ１２が感光体ドラム５Ｂに押圧された状態においても、アイドルギヤ２６を第１回転方向Ｄ１に回転させ、かつ、第２回転方向Ｄ２にはほとんど回転させないようにすることができる。
【０１１５】
以上、本開示の実施形態について説明したが、本開示は上述の実施形態に限定されるものではない。具体的な構成については、本開示の趣旨を逸脱しない範囲で適宜変更が可能である。
【０１１６】
上述の実施形態では、第１はす歯ギヤがカップリング２２であり、第２はす歯ギヤがアイドルギヤ２６であったが、これに限定されない。例えば、第２はす歯ギヤは、第１アジテータギヤであってもよい。具体的には、第１アジテータギヤが、はす歯ギヤとなっているギヤ部と、上述の実施形態の係合部材５０と同じ構成の係合部材とを備えていてもよい。また、第２はす歯ギヤは、カップリングであってもよい。また、供給ギヤであってもよい。また、現像ギヤであってもよい。
【０１１７】
また、第１はす歯ギヤは、第２はす歯ギヤと噛み合うギヤであれば特に限定されない。例えば、第２はす歯ギヤが第１アジテータギヤである場合、第１はす歯ギヤとしてアイドルギヤを採用できる。なお、この場合は、アイドルギヤの小径部がはす歯ギヤとなる。また、第２はす歯ギヤがカップリングである場合、第１はす歯ギヤとして現像ギヤを採用できる。
【０１１８】
上述の実施形態では、複数の第１突起４１を備えていたが、これに限定されず、例えば、第１突起は１つでもよい。また、上述の実施形態では、複数の第２突起５１を備えていたが、これに限定されず、例えば、第２突起は１つでもよい。
【０１１９】
上述の実施形態では、第１突起４１の第２面４１Ｂと第２突起５１の第４面５１Ｂの両方が、アイドルギヤ２６の回転方向に対して傾斜する傾斜面であったが、これに限定されない。例えば、第２面および第４面の一方だけが傾斜面であってもよい。
【０１２０】
上述の実施形態では、係合部材５０がアイドルギヤ２６、つまり、第２はす歯ギヤと一体に形成されていたが、これに限定されない。例えば、係合部材は、第２はす歯ギヤと別部品であってもよい。
【０１２１】
上述の実施形態では、第１ギヤカバー２１の、第２突起５１と係合する部分が第１突起４１であったが、これに限定されない。例えば、カバーは、第２突起と係合する部分が穴であってもよい。詳しくは、カバーの一部は、第１面と第２面とを有する第１穴を備えていてもよい。第１穴は、複数でもよいし、１つでもよい。第１穴は、貫通する穴でもよいし、有底の穴でもよい。
【０１２２】
上述の実施形態では、係合部材５０の、第１突起４１と係合する部分が第２突起５１であったが、これに限定されない。例えば、係合部材は、第１突起と係合する部分が穴であってもよい。詳しくは、係合部材は、第３面と第４面とを有する第２穴を備えていてもよい。第２穴は、複数でもよいし、１つでもよい。第２穴は、貫通する穴でもよいし、有底の穴でもよい。
【０１２３】
上述の実施形態では、第１ギヤカバー２１が、カップリング２２の一部と、供給ギヤ２４と、第１アジテータギヤ２５と、アイドルギヤ２６を覆う構成であったが、これに限定されない。例えば、筐体の外表面に位置するカバーは、第２はす歯ギヤの一部だけを覆う構成でもよい。詳しくは、カバーは、係合部材と係合可能なように、第２はす歯ギヤの、係合部材が位置する部分だけを覆う構成でもよい。
【０１２４】
上述の実施形態では、現像カートリッジ１０は、ドラムカートリッジ５と別体に構成されていたが、一体に構成されていても構わない。
【０１２５】
上述の実施形態では、画像形成装置の一例としてモノクロのレーザプリンタ１を例示したが、画像形成装置はカラーの画像形成装置であってもよいし、ＬＥＤにより露光するものであってもよいし、コピー機や複合機であってもよい。
【０１２６】
上述した各実施形態および各変形例の各要素は、任意に組み合わせて実施することが可能である。
【符号の説明】
【０１２７】
５      ドラムカートリッジ
５Ｂ    感光体ドラム
５Ｃ    押圧部材
１０    現像カートリッジ
１１    筐体
１１Ｃ  外表面
１２    現像ローラ
１２Ａ  現像ローラシャフト
１２Ｘ  第１軸
１４    アジテータ
１４Ａ  アジテータシャフト
１４Ｘ  軸
２１    第１ギヤカバー
２２    カップリング
２２Ａ  第１凹部
２２Ｘ  軸
２３    現像ギヤ
２５    第１アジテータギヤ
２６    アイドルギヤ
２６Ｅ  端面
２６Ｘ  軸
４１    第１突起
４１Ａ  第１面
４１Ｂ  第２面
５０    係合部材
５１    第２突起
５１Ａ  第３面
５１Ｂ  第４面
Ｔ      トナー
【図１】
2019148749.tif 000003
【図２】
2019148749.tif 000004
【図３】
2019148749.tif 000005
【図４】
2019148749.tif 000006
【図５】
2019148749.tif 000007
【図６】
2019148749.tif 000008
【図７】
2019148749.tif 000009